(57)【要約】【課題】容易かつ正確に、所望の星座模様を作製することができる星座模様作製セットを提供すること。【解決手段】複数の貫通孔を有するシートと、複数の固着体と、を含み、前記シートにおいて前記複数の貫通孔が少なくとも１種類以上の星座を表示しており、前記貫通孔は、１以上の前記固着体が通過できる形状及び大きさであることを特徴とする星座模様作製セット。【選択図】図８Ａ
2012173625.tif 000002
【特許請求の範囲】
【請求項１】
複数の貫通孔を有するシートと、複数の固着体と、を含み、
前記シートにおいて前記複数の貫通孔が少なくとも１種類以上の星座を表示しており、
前記貫通孔は、１以上の前記固着体が通過できる形状及び大きさであることを特徴とする星座模様作製セット。
【請求項２】
前記固着体が蓄光素材を含む請求項１に記載の星座模様作製セット。
【請求項３】
前記蓄光素材が夜光素材又は蛍光素材である請求項２に記載の星座模様作製セット。
【請求項４】
前記固着体の直径が２〜２０ｍｍである請求項１〜３のいずれかに記載の星座模様作製セット。
【請求項５】
前記固着体の厚みが０．５〜１．５ｍｍである請求項１〜４のいずれかに記載の星座模様作製セット。
【請求項６】
前記固着体がシールである請求項１〜５のいずれかに記載の星座模様作製セット。
【請求項７】
前記固着体が画鋲である請求項１〜６のいずれかに記載の星座模様作製セット。
【請求項８】
前記シートが紙、布、木板、樹脂板、マグネットシート又は金属板である請求項１〜７のいずれかに記載の星座模様作製セット。
【請求項９】
前記シートの貫通孔の周辺に前記星座を構成する星の等級が表示されており、
前記複数の固着体は２種類以上の固着体からなり、
前記複数の固着体は種類ごとに異なる色、大きさ又は形状である請求項１〜８のいずれかに記載の星座模様作製セット。
【請求項１０】
請求項１〜９のいずれかに記載の星座模様作製セットを準備する工程と、
前記複数の貫通孔を有するシートを前記固着体の被着体に固定する工程と、
前記シートの貫通孔の位置に前記固着体を固定する工程と、
前記被着体から前記シートを離す工程と、を含む星座模様製造方法。
【請求項１１】
前記被着体が天井である請求項１０に記載の星座模様製造方法。
【請求項１２】
前記固着体が磁石を含み、前記被着体が磁性を帯びている請求項１０又は１１に記載の星座模様製造方法。
【請求項１３】
請求項９に記載の星座模様作製セットを準備する工程と、
前記複数の貫通孔を有するシートを前記固着体の被着体に固定する工程と、
前記貫通孔の周辺の等級の表示に応じて、前記貫通孔の位置に所定の種類の固着体を固定する工程と、
前記被着体から前記シートを離す工程と、を含む星座模様製造方法。
【発明の詳細な説明】
【技術分野】
【０００１】
本発明は、容易かつ正確に星座模様を作製することができる星座模様作製セット及び星座模様製造方法に関する。
【背景技術】
【０００２】
従来、室内の装飾用に用いられる蓄光素材のシールが知られている。例えば、特許文献１及び２には、蓄光素材のシールが貼りつけられた星座図が開示されており、観賞用又は学習用に用いる旨が開示されている。
【先行技術文献】
【特許文献】
【０００３】
【特許文献１】特開２００１−２０４４０号公報
【特許文献２】特開２００４−３３４１３７号公報
【発明の概要】
【発明が解決しようとする課題】
【０００４】
本発明の目的は、容易かつ正確に、所望の星座模様を作製することができる星座模様作製セットを提供すること、及び、容易かつ正確に、所望の星座模様を製造することができる星座模様製造方法を提供することである。
【課題を解決するための手段】
【０００５】
上述の課題を解決するために、本発明に係る星座模様作製セットは、
複数の貫通孔を有するシートと、複数の固着体と、を含み、
前記シートにおいて前記複数の貫通孔が少なくとも１種類以上の星座を表示しており、
前記貫通孔は、１以上の前記固着体が通過できる形状及び大きさであることを特徴とする。
【０００６】
本発明に係る星座模様作製セットは、シートが有する複数の貫通孔が少なくとも１種類以上の星座を表示している。このため、この貫通孔にしたがって固着体を被着体に固定することで、容易かつ正確に所望の星座模様を作製することができる。
【０００７】
前記星座模様作製セットは、好ましくは、前記固着体が蓄光素材を含む。
【０００８】
前記星座模様作製セットは、好ましくは、前記蓄光素材が夜光素材又は蛍光素材である。
【０００９】
前記星座模様作製セットは、好ましくは、前記固着体の直径が２〜２０ｍｍである。
【００１０】
前記星座模様作製セットは、好ましくは、前記固着体の厚みが０．５〜１．５ｍｍである。
【００１１】
前記星座模様作製セットは、好ましくは、前記固着体がシールである。
【００１２】
前記星座模様作製セットは、好ましくは、前記固着体が画鋲である。
【００１３】
前記星座模様作製セットは、好ましくは、前記シートが紙、布、木板、樹脂板、マグネットシート又は金属板である。
【００１４】
前記星座模様作製セットは、好ましくは、
前記シートの貫通孔の周辺に前記星座を構成する星の等級が表示されており、
前記複数の固着体は２種類以上の固着体からなり、
前記複数の固着体は種類ごとに異なる色、大きさ又は形状である。
【００１５】
また、上述の課題を解決する本発明に係る星座模様製造方法は、
前記星座模様作製セットを準備する工程と、
前記複数の貫通孔を有するシートを前記固着体の被着体に固定する工程と、
前記シートの貫通孔の位置に前記固着体を固定する工程と、
前記被着体から前記シートを離す工程と、を含む。
【００１６】
本発明に係る星座模様作製セットは、シートが有する複数の貫通孔が少なくとも１種類以上の星座を表示しているため、被着体に前記シートを固定し、この貫通孔にしたがって固着体を被着体に固定し、その後、被着体からシートを離すことで、被着体に対して容易かつ正確に所望の星座模様を製造することができる。
【００１７】
前記星座模様製造方法は、好ましくは、前記被着体が天井である。
【００１８】
前記星座模様製造方法は、好ましくは、前記固着体が磁石を含み、前記被着体が磁性を帯びている。
【００１９】
前記星座模様製造方法は、好ましくは、
前記星座模様作製セットを準備する工程と、
前記複数の貫通孔を有するシートを前記固着体の被着体に固定する工程と、
前記貫通孔の周辺の等級の表示に応じて、前記貫通孔の位置に所定の種類の固着体を固定する工程と、
前記被着体から前記シートを離す工程と、を含む。
【図面の簡単な説明】
【００２０】
【図１】図１（ａ）は、本発明の一実施形態に係る星座模様作製セットを構成するシート１０の斜視図であり、図１（ｂ）は、本発明の一実施形態に係る星座模様作製セットを構成する固着体３０の斜視図である。
【図２】図２（ａ）は、本発明の一実施形態に係る星座模様作製セットを構成するシート１０の平面図であり、図２（ｂ）は、本発明の一実施形態に係る星座模様作製セットを構成する固着体３０の斜視図である。
【図３】図３は、図１及び図２に示す星座模様作製セットの変形例を示すシート１０の平面図である。
【図４】図４は、図１及び図２に示す星座模様作製セットの変形例を示すシート１０の平面図である。
【図５Ａ】図５Ａは、図１及び図２に示す星座模様作製セットの変形例を示すシート１０の平面図である。
【図５Ｂ】図５Ｂは、図５Ａに示すシート１０と、固着体３０と、の平面図である。
【図６】図６は、図１及び図２に示す星座模様作製セットの変形例を示すシート１０の平面図である。
【図７】図７（ａ）〜（ｃ）は、図１及び図２に示す星座模様作製セットの変形例を示すシート１０の平面図である。
【図８Ａ】図８Ａは、図１及び図２に示す星座模様作製セットの変形例を示すシート１０の平面図である。
【図８Ｂ】図８Ｂは、図１及び図２に示す星座模様作製セットの変形例を示すシート１０の斜視図である。
【図９】図９（ａ）は、図２（ａ）のＩＸａ−ＩＸａ切断面に沿った部分断面図であり、図９（ｂ）は、シート１０を被着体４０に固定する工程を示す図９（ａ）の続きの部分断面図であり、図９（ｃ−１）は、シート１０の貫通孔２０の位置に固着体３０を固定する工程を示す図９（ｂ）の続きの部分断面図であり、図９（ｃ−２）は、シート１０の貫通孔２０の位置に固着体３０を固定する工程を示す工程概略図であり、図９（ｄ−１）は、被着体４０からシート１０を離す工程を示す図９（ｃ−１）の続きの部分断面図であり、図９（ｄ−２）は、被着体４０からシート１０を引き離す工程を示す図９（ｃ−２）の続きの工程概略図である。
【発明を実施するための形態】
【００２１】
以下、図面に記載した実施形態に基づき本発明を説明する。
図１（ａ）は、本発明の一実施形態に係る星座模様作製セットを構成するシート１０の斜視図であり、図２（ａ）はその平面図である。また、図１（ｂ）は、本発明の一実施形態に係る星座模様作製セットを構成する固着体３０の斜視図であり、図２（ｂ）はその平面図である。
【００２２】
本発明の一実施形態に係る星座模様作製セットは、図１（ａ）又は図２（ａ）に示すシート１０と、図１（ｂ）又は図２（ｂ）に示す複数の固着体３０と、を含む。前記シート１０が有する複数の貫通孔２０が少なくとも１種類以上の星座を表示しており、前記貫通孔２０は、１以上の前記固着体３０が通過できる形状及び大きさである。ここで、シート１０は、少なくとも１種類以上の星座を表示しているため、貫通孔２０に従って、固着体３０を被着体に固定することで、容易かつ正確に、被着体に対して所望の星座模様を作製することができる。
【００２３】
前記シート１０は複数の貫通孔２０を有する。前記シート１０において、前記複数の貫通孔２０が少なくとも１種類以上の星座を表示している。したがって、図１（ａ）又は図２（ａ）のように、１つのシートに１種類の星座（例えば、オリオン座）が表示されていてもよいし、図３、図４又は図５Ａのように、１つのシートに２種類以上の星座が表示されていてもよい。
【００２４】
例えば、図３のシート１０は、１つのシート１０におうし座、オリオン座、ふたご座、こいぬ座の合計４種類の星座を含んでいる。
【００２５】
また、図４では、１つのシート１０で、オリオン座もカシオペヤ座も作製できるというシートを表わしている。すなわち、ある時は「オリオン」と記載されている貫通孔２０ａに従って、固着体３０を被着体に固定することで、被着体に「オリオン座」を作製することができ、また、ある時は、「カシオペヤ」と記載されている貫通孔２０ｂに従って、固着体３０を被着体に固定することで、被着体に「カシオペヤ座」を作製することができる。
【００２６】
さらに、図５Ａは１つのシートが規則正しく、かつ、高密度で配置された貫通孔２０ａ，２０ｂを有している。図５Ａの貫通孔中、周りを点線で囲まれた貫通孔２０ａにしたがって固着体３０を被着体に固定することで、被着体にオリオン座を表示させることができる（図５Ｂ）。また、周りを一点鎖線で囲まれた貫通孔２０ｂにしたがって固着体３０を被着体に固定することで、被着体にカシオペヤ座を表示させることができる。
【００２７】
上記の通り、図４は、星座ごとの識別を文字によって行うものであり、図５Ａは、星座ごとの識別を貫通孔の周りの縁取りによって行うものであるが、星座ごとの識別の方法は特に限定されず、縁取りや文字の他、記号や色などで識別してもよい。
【００２８】
前記貫通孔２０は、１以上の前記固着体３０が通過できる形状及び大きさである。前記貫通孔２０の形状は、１以上の前記固着体３０が通過できれば特に限定されず、例えば円形、星型（図６）又は四角形などにすることができる。また、前記貫通孔２０の大きさも、１以上の前記固着体３０が通過できれば特に限定されないが、好ましくは、直径が２．５〜４０ｍｍであり、より好ましくは直径が５．５〜１２ｍｍである。
【００２９】
なお、前記貫通孔２０は、１以上の前記固着体３０が通過できる形状及び大きさであればよいため、図７（ａ）〜（ｃ）に示すように、２以上の固着体３０を固定することができる貫通孔２０の形状及び大きさでもよい。すなわち、図７（ａ）及び（ｂ）の貫通孔２０ｃは、３個の固着体の固定を示す貫通孔である。
【００３０】
シート１０の大きさとしては、特に限定されず、横１６５〜２２５ｍｍ、縦２４０〜３１０ｍｍ程度のＢ５やＡ４のサイズでもよいし、横７８０ｍｍ〜８５０ｍｍ、縦１０５０〜１２００ｍｍ程度のＢ１やＡ０のサイズでもよい。
【００３１】
前記シート１０の材質は特に限定されないが、紙、布、木板、樹脂板、マグネットシート又は金属板であることが好ましく、より好ましくは紙である。紙は軽量であるため、天井などの被着体にシート１０を固定する際に、テープや画鋲で容易に固定できる。さらに、前述のようにシート１０の大きさをＢ１やＡ０などのサイズなどの比較的大きなサイズにした場合、シート１０が紙であれば折りたたむことができるため、収納や持ち運びに便利である。
【００３２】
前記樹脂板の具体的な材質は、特に限定されず、例えば、ポリプロピレン、ポリスチレン、ポリ塩化ビニル、ポリオレフィン等の樹脂によって構成することができる。
【００３３】
なお、固着体３０の被着体が磁性を帯びている場合には、シート１０はマグネットシートであることが好ましい。マグネットシートとは、磁性粉と樹脂とを混練して成形してシート化された可撓性を有する磁石をいう。シート１０がマグネットシートであり、被着体が磁性を帯びている場合には、シート１０と被着体とが磁力によって引きあうことで、容易にシート１０を被着体に固定することができ、また、容易にシート１０を被着体から引き離すことができる。なお、磁性を帯びている被着体とは、ステンレス、鉄、ニッケル、アルミニウムなどを含む物質の他、黒板やホワイトボードなどが挙げられる。
【００３４】
また、金属板の具体的な材質は、特に限定されず、例えば、ステンレス、鉄、ニッケル、アルミニウム等によって構成することができる。
【００３５】
本実施形態のシート１０には、貫通孔２０の周辺に前記星座を構成する星の等級が表示されていることが好ましい。星座の等級の表示方法は特に限定されず、図８Ａ又は図８Ｂに示すように貫通孔２０の周辺に等級を示す数字を記入してもよいし、等級ごとに貫通孔の周囲を特定の色で縁取りしたり、記号を付したり、貫通孔の大きさを変えてもよい。
【００３６】
また、等級により各貫通孔を識別する際には、細かい分類は特に必要なく、例えば、星の等級を「１等星以上」、「２等星以上１等星未満」「２等星未満」など３段階程度に分類することが好ましい。
【００３７】
本実施形態に係る星座模様作製セットは、複数の前記固着体３０を備える。前記固着体３０の数は特に限定されず、所望の星座模様を作製できる個数程度であればよい。
【００３８】
好ましくは、前記固着体３０が蓄光素材を含む。前記蓄光素材としては、例えば夜光素材又は蛍光素材を用いることができる。固着体３０に対する蓄光素材の含有形態は、暗所で固着体３０が発光できれば特に限定されず、例えば、蓄光素材を混ぜこんだ樹脂によって固着体３０を構成したり、固着体３０に蓄光素材を塗布してもよい。
【００３９】
固着体３０の色としては、特に限定されず、種々の色を選択できる。例えば、固着体３０が蓄光素材を含む場合であって、固着体３０の被着体が天井や壁である場合には、固着体３０の色を透明又は、白、ベージュ若しくは木目など、天井や壁と同じ色や模様にすることで、明るい時は、目立たないようにすることができる。
【００４０】
前記固着体３０の直径は、特に限定されないが、好ましくは、２〜２０ｍｍであり、より好ましくは５〜６ｍｍである。
【００４１】
前記固着体３０の厚みは、特に限定されないが、好ましくは、０．５〜１．５ｍｍであり、より好ましくは０．８〜１．２ｍｍである。
【００４２】
前記固着体３０は、被着体に固着することができる物質であれば特に限定されず、シール又は画鋲などが挙げられ、好ましくはシールである。シールとしては、表面に接着層を有する物質であれば特に限定されず、例えば、表面に接着層を有する紙、布又は樹脂などが挙げられる。固着体３０としてシールを選択することで、固着体３０を被着体に容易に固定することができる。また、シールは比較的安価であるため、固着体３０としてシールを選択することにコストメリットがある。
【００４３】
また、固着体３０の被着体が磁性を帯びている場合は、固着体３０は磁石を含むことが好ましい。固着体３０が磁石を含んでおり、被着体が磁性を帯びている場合には、固着体３０と被着体とが磁力によって引きあうことで、容易に固着体３０を被着体に固定することができ、また、容易に固着体３０を被着体から引き離すことができる。被着体が黒板やホワイトボードである場合には被着体は磁性を帯びているため、黒板やホワイトボードを用いた教育現場において、星座の学習をする際に、磁石を含む固着体３０を用いることで、学習を円滑に進めることができる。
【００４４】
本実施形態の前記固着体３０は２種類以上の固着体からなることが好ましい。具体的には、前記固着体３０は種類ごとに異なる色、大きさ又は形状であることが好ましい。種類としては、例えば、星の等級などが挙げられる。具体的には、星の等級は星の明るさを表わし、それにより、地上から見える星の色、大きさ又は形状などが変わる。このため、星の色、大きさ又は形状別に固着体３０の種類を変えることで、被着体に対して、実際の星空の模様を、より忠実に再現することができる。
【００４５】
なお、固着体の種類は２〜４種類であることが好ましく、より好ましくは３種類である。
【００４６】
次に、本実施形態の星座模様作製セットの使用方法として、星座模様製造方法を説明する。
【００４７】
本実施形態の星座模様製造方法は、まず、前記星座模様作製セットを準備する（図９（ａ））。
【００４８】
次いで、前記複数の貫通孔２０を有するシート１０を前記固着体３０の被着体４０に固定する（図９（ｂ））。
【００４９】
前記シート１０を被着体４０に固定する方法としては特に限定されず、例えば、両面テープ、セロハンテープにより固定してもよいし、シート１０の材質によっては、画鋲で固定してもよい。また、シート１０がマグネットシートであり、被着体が磁性を帯びている場合には、磁力によりシート１０を被着体４０に固定することができる。
【００５０】
次いで、前記被着体４０のうち、前記被着体４０と前記貫通孔２０とにより形成された凹部の位置に、前記固着体３０を固定する（図９（ｃ−１）（ｃ−２））。例えば、固着体３０がシールの場合には、シールの接着層を有する面を被着体４０に押し当てることにより、シールを被着体４０に固定する。
【００５１】
また、星座模様作製セットとして、シート１０の貫通孔２０の周辺に星座を構成する星の等級が表示されており、複数の固着体３０が２種類以上の固着体３０からなり、複数の固着体３０は種類ごとに異なる色、大きさ又は形状である星座模様作製セットを用いる場合には、前記貫通孔２０の周辺の等級の表示に応じて、前記貫通孔２０の位置に所定の種類の固着体３０を固定することもできる。
【００５２】
次いで、前記被着体４０から前記シート１０を離す（図９（ｄ−１）（ｄ−２））。
【００５３】
なお、本実施形態に係るシート１０は、繰り返し使用することもできる。
【００５４】
本実施形態の製造方法によれば、被着体４０に対する固着体３０の固定位置が分かりやすいため、容易かつ正確に被着体４０に固着体３０を固定することができる。
【００５５】
さらに、前記貫通孔２０の周辺の等級の表示に応じて、前記貫通孔２０の位置に所定の種類の固着体３０を固定することにより、容易かつ正確に、被着体４０に星座模様を作製できるだけでなく、被着体４０に対して、実際の星空の模様を、より忠実に再現することができる。
【００５６】
なお、前記被着体４０は天井であることが好ましい。本実施形態による星座模様作製セットによれば、容易かつ正確に被着体４０に固着体３０を固定することができる。このため、天井のように比較的、固着体３０の固定作業が困難な被着体ほど、本実施形態の効果を発揮することができるからである。
【００５７】
通常、星座の配置が何ら示唆されていない被着体に、所望の星座の配置通りに固着体を配置することは困難である。しかし、本実施形態に係る星座模様作製セット又は星座模様製造方法によれば、容易かつ正確に、星座の配置が何ら示唆されていない被着体に、所望の星座の配置通りに固着体を配置することができる。
【００５８】
また、いわゆる黄道１２星座（おひつじ座、おうし座、ふたご座、かに座、しし座、おとめ座、てんびん座、さそり座、いて座、やぎ座、みずかめ座、うお座）を再現する際に、本願実施形態に係る星座模様作製セット及び星座模様製造方法は好適に用いられる。すなわち、黄道１２星座は比較的、星の数が多く、星の配置が複雑なものが多い。一方、前記の通り、本実施形態は、容易かつ正確に所望の星座模様を作製できる。このため、黄道１２星座のように、星の数が多く、星の配置が複雑なものほど、本実施形態の効果を発揮することができるからである。
【００５９】
以上、本発明の実施態様について説明してきたが、本発明はこうした実施形態に何ら限定されるものではなく、本発明の要旨を逸脱しない範囲内において種々なる態様で実施得ることは勿論である。
【００６０】
例えば、前記星座模様作製セットは、必ずしもシール１０と固着体３０とが独立している必要はなく、シート１０と、固着体３０としてのシールと、が、一部のみ接続していてもよい。例えば、シート１０とシールとが、一部のみ接続していることにより、シート１０とシールとを容易に切り離すことができ、シール部分にのみ接着層を有する構造であってもよい。以下、この構造を「シール付きシート」と呼ぶ。そして、シール付きシートを被着体に押し当て、シールと被着体とを接着することにより、シールを被着体に固定する。そして、シートを引き離すと同時に、シールとシートの接続部を切り離す。この方法によっても、容易かつ正確に被着体にシールを固定することができる。
【符号の説明】
【００６１】
１０…  シート
２０，２０ａ，２０ｂ，２０ｃ…  貫通孔
３０…  固着体
４０…  被着体
【図１】
2012173625.tif 000003
【図２】
2012173625.tif 000004
【図３】
2012173625.tif 000005
【図４】
2012173625.tif 000006
【図５Ａ】
2012173625.tif 000007
【図５Ｂ】
2012173625.tif 000008
【図６】
2012173625.tif 000009
【図７】
2012173625.tif 000010
【図８Ａ】
2012173625.tif 000011
【図８Ｂ】
2012173625.tif 000012
【図９】
2012173625.tif 000013